(57)【特許請求の範囲】
【請求項１】
光透過性を有する合成樹脂よりなるシート基体に意匠図を印刷した化粧シートと、この化粧シートの前面に結合した光透過性を有する合成樹脂よりなる遊技基板と、遊技基板の裏側に取付けられた図柄表示装置とを備え、遊技基板の前面には遊技基板の前面から化粧シートの裏側に球を誘導する入賞口を備えた遊技盤において、遊技基板の図柄表示装置と対応する部分に前後に貫通する開口部を形成し、化粧シートの開口部と対応する部分をシート基体から意匠図の印刷抜きされた透視領域として形成したことを特徴とする遊技盤。
【発明の詳細な説明】
【０００１】
【発明の属する技術分野】
本発明は、遊技盤であって、特に、図柄表示装置に表示された画像の見えを良くするための薄肉化に関する。
【０００２】
【従来の技術】
図７は特開２０００−６１０４７号公報で開示された遊技盤１０１を示す。図７において、１０２は光透過性を有する合成樹脂よりなる遊技基板、１０３は遊技基板１０２に貼付けられた化粧シート、１０４は化粧シート１０３に印刷された意匠図、１０５は化粧シート１０３の意匠図１０４が印刷抜きされた透視領域、１０６は透視領域１０５の裏側で遊技基板１０２に取付けられた図柄表示装置である。そして、図柄表示装置１０６に表示された画像は遊技基板１０２の前側より遊技基板１０２及び透視領域１０５を経由して視認し得る。図８は特開平１１−１５６００６号公報で開示された遊技盤２０１を示す。図８において、２０１は光透過性を有する合成樹脂よりなる遊技盤、２０２は遊技盤２０１の薄肉な透視領域、２０３は透視領域２０２の裏側で遊技盤２０１に取付けられた図柄表示装置である。そして、図柄表示装置２０３に表示された画像は遊技盤２０１の前側より透視領域２０２を経由して視認し得る。又、実公平３−１４２１４号公報では遊技基板に前後に貫通する開口部を形成し、開口部に内部に光源を挿入は位置し、遊技基板の前側面に貼付した化粧シートの上記開口と対応する部分を透明に形成した遊技盤が開示されている。
【０００３】
【発明が解決しようとする課題】
図７の従来例は遊技基板１０２が厚く平坦であるため、図柄表示装置１０６に表示された画像を遊技盤１０１の前側より見た場合の視認性が悪くなる。又、図８の従来例は薄肉な透視領域２０２と厚肉な周辺領域２０４との成形歪により遊技盤２０１が反り易いことは否めない。又、実公平３−１４２１４号公報で開示された遊技盤では遊技盤の前側から化粧シートの透明部分より開口部と光源との間の隙間を通して遊技盤の裏側、例えば光源を搭載した回路基板や光源の回路基板への実装形態等の遊技者に見せたくない内部構造が見えるので、品質信頼性が欠ける。
【０００４】
そこで、本発明は、視認性向上と反り防止との両立が図れる遊技盤を提供するものである。
【０００５】
【課題を解決するための手段】
本発明に係る遊技盤は、光透過性を有する合成樹脂よりなるシート基体に意匠図を印刷した化粧シートと、この化粧シートの前面に結合した光透過性を有する合成樹脂よりなる遊技基板と、遊技基板の裏側に取付けられた図柄表示装置とを備え、遊技基板の前面には遊技基板の前面から化粧シートの裏側に球を誘導する入賞口を備えた遊技盤において、遊技基板の図柄表示装置と対応する部分に前後に貫通する開口部を形成し、化粧シートの開口部と対応する部分をシート基体から意匠図の印刷抜きされた透視領域として形成したことを特徴としている。この発明によれば、図柄表示装置に表示された画像が光透過性を有する合成樹脂よりなる遊技基板の開口部および化粧シートにおける意匠図の印刷抜きされた透視領域として形成された光透過性を有する合成樹脂よりなるシート基体を通して視認することができ、図柄表示装置の画像の視認性を向上することができ、球が遊技基板の前面から開口部に取り込まれた場合、透視領域を形成する光透過性を有する合成樹脂よりなるシート基体が上記遊技基板の前面から開口部に取り込まれた球を図柄表示装置の画像を表示する表示画面に衝突しないように保護することができる。
【０００６】
【発明の実施の形態】
図１〜図４は本発明の第１実施形態であって、図１は遊技盤１を縦方向に切断した断面を示し、図２は遊技基板２の正面を示し、図３は化粧シート４の正面を示し、図４はセット板１８の正面を示す。
【０００７】
図１を参照し、遊技盤１について説明する。遊技盤１は光透過性を有する合成樹脂よりなる遊技基板２を備える。遊技基板２の図柄表示装置１０と対応する部分には開口部３が前後に貫通形成される。遊技基板２の裏側には化粧シート４が接着される。化粧シート４は遊技基板２よりも厚さが極端に薄い光透過性を有する合成樹脂よりなるシート基体５に意匠図８を印刷した板状である。化粧シート４の開口部３と対応する部分は意匠図８の印刷抜きされた透視領域７として形成される。遊技基板２及び化粧シート４の図柄表示装置１０よりも上下部分には入賞口１２；１３が配置される。各入賞口１２；１３周りの遊技基板２の前側面より突出する入賞口壁１４；１５や遊技釘１６及び誘導レールＲを備える。
【０００８】
図柄表示装置１０は液晶やＬＥＤ又はＣＲＴ或いはプラズマディスプレイ等のようなフラットタイプの表示器であって、遊技基板２の裏側に配置されたセット板１８に取付けられる。そして、セット板１８が遊技基板２に取付けられることにより、図柄表示装置１０の表示面１１が透視領域７に対向配置される。止ねじ１９がセット板１８を経由して遊技基板２より突出した支柱１７に締結されることにより、セット板１８が遊技基板２に固定される。
【０００９】
セット板１８の図柄表示装置１０よりも下部に取付けられたアタッカや大入賞口装置等と呼ばれる変動入賞口装置２０は化粧シート４及び遊技基板２に形成された用孔２２に挿入され、変動入賞口装置２０の開閉体２１が開くことにより遊技基板２の前面側より前方に突出して球を取入れることが可能となる。
【００１０】
図２に示すように、遊技基板２は、長方形又は方形な板状の中央部に天入賞口２５、開口部３、始動入賞口２６、用孔２２及びアウト口２７を上から下に順に配置し、始動入賞口２６の左右に一般入賞口２８；２９を配置し、天入賞口２５や始動入賞口２６及び一般入賞口２８；２９等の球取入口周りに入賞壁３１；３２；３３；３４を有し、四隅に支柱１７を配置した形態である。第１実施形態の場合、天入賞口２５、開口部３、始動入賞口２６、用孔２２、アウト口２７、一般入賞口２８；２９、誘導レールＲ、入賞壁３１〜３４及び支柱１７を備えた形態として、型に樹脂材料を流し込む成形法により、遊技基板２は単一体として形成される。
【００１１】
図３に示すように、化粧シート４は、遊技基板２と同形状の板状の中央部に天入賞口３６、透視領域７、始動入賞口３７、用孔３８及びアウト口３９を上から下に順に配置し、始動入賞口３７の左右に一般入賞口４０；４１を配置した形態である。第１実施形態の場合、化粧シート４における天入賞口３６、透視領域７、始動入賞口３７、用孔３８、アウト口３９及び一般入賞口４０；４１以外の部分には図１の意匠図８が印刷された形態である。
【００１２】
図４に示すように、セット板１８は、遊技基板２と同形状の板状の中央部に図柄表示装置取付部４４や変動入賞口装置逃孔４５及び変動入賞口装置取付部４６を上から下に順に配置し、図柄表示装置取付部４４及び変動入賞口装置取付部４６の周囲に球通路４７を配置し、四隅に取付孔４８を配置した形態である。球通路４７は仮想線示の天入賞口２５；３６（図２及び図３参照）、仮想線線示の始動入賞口２６；３７（図２及び図３参照）、変動入賞口装置２０（図１参照）及び、仮想線線示の一般入賞口２８；４０；２９；４１等に入賞した球を誘導するものである。仮想線線示のアウト口２７；３９（図２及び図３参照）に取込まれたアウト球は球通路４７以外の図示を省略した球通路により上記入賞球と混ざることがないように誘導される。第１実施形態の場合、図柄表示装置取付部４４、変動入賞口装置逃孔４５、変動入賞口装置取付部４６、球通路４７及び取付孔４８を備えた形態として、型に樹脂材料を流し込む成形法により、セット板１８は単一体として形成される。変動入賞口装置逃孔４５は変動入賞口装置２０（図１参照）の駆動機構や配線等を逃げるために利用される。
【００１３】
第１実施形態の構造によれば、図１に示すように、遊技基板２の裏面側には化粧シート４が接着され、図柄表示装置１０や変動入賞口装置２０がセット板１８に止ねじ４９で取付けられた状態において、セット板１８が止ねじ１９で遊技基板２に取付けられることにより、遊技盤１が形成される。そして、遊技盤１では、遊技基板２の開口部３が化粧シート４の透視領域７で覆われたので、図柄表示装置１０の表示面１１に表示された画像は遊技基板２に比べて薄肉に形成された化粧シート４を通して視認し得る。よって、表示面１１に表示された画像の視認性が良くなる。又、図柄表示装置１０の画像の視認性を高めるために、遊技基板２及び化粧シート４に薄肉部分と厚肉部分とを作る必要はなく厚さを一様にすることができ、遊技基板２及び化粧シート４に成形歪が発生することがなく、遊技盤１に反りが発生することは防止できる。
【００１４】
図５及び図６は本発明の第２実施形態であって、図５は図６をＡ−Ａ線に沿い切断した断面を示し、図６は遊技盤１の背面を示す。第２実施形態は、遊技基板２の裏側の四隅に溝５０を有するリブ５１を設け、溝５０に化粧シート４の四隅を嵌め込んで、化粧シート４を遊技基板２の裏面に取付けることにより、化粧シート４を遊技基板２に接着する必要がないようにしたものである。
【００１５】
遊技基板２はベニヤのような木材でも良く、化粧シート４は遊技基板２の前側面に取付けても良い。意匠図を印刷しても良い。光透過性を有する合成樹脂よりなる遊技基板２に意匠図８を印刷し、光透過性を有する合成樹脂よりなるシート基体５を意匠図８を介して遊技基板２に貼付しても良い。
【図面の簡単な説明】
【図１】  本発明の第１実施形態の遊技盤を示す縦断面図。
【図２】  同第１実施形態の遊技基板を示す正面図。
【図３】  同第１実施形態の化粧シートを示す正面図。
【図４】  同第１実施形態のセット板を示す正面図。
【図５】  図６のＡ−Ａ線断面図。
【図６】  同第２実施形態の遊技盤１を示す背面図。
【図７】  従来例を示す縦断面図。
【図８】  別の従来例を示す縦断面図。
【符号の説明】
１  遊技盤
２  遊技基板
３  開口部
４  化粧シート
７  透視領域
８  意匠図
１０  図柄表示装置
【図１】
0004169915.tif 000002
【図２】
0004169915.tif 000003
【図３】
0004169915.tif 000004
【図４】
0004169915.tif 000005
【図５】
0004169915.tif 000006
【図６】
0004169915.tif 000007
【図７】
0004169915.tif 000008
【図８】
0004169915.tif 000009